(57)【要約】  基地局装置と、基地局装置と無線通信する移動局装置と、基地局装置と移動局装置との間記無線通信を中継する中継局装置とを備える無線通信システムであって、中継局装置が、移動局装置に対して送信する同期信号または参照信号について、送信と非送信とを切り替える。
2011055780.tif 000002
【特許請求の範囲】
【請求項１】
基地局装置と、前記基地局装置と無線通信する移動局装置と、前記基地局装置と移動局装置との間で前記無線通信を中継する中継局装置とを備える無線通信システムであって、
前記中継局装置が、前記移動局装置に対して送信する同期信号または参照信号について、送信と非送信とを切り替える、
無線通信システム。
【請求項２】
前記中継局装置は、前記同期信号および前記参照信号を送信しないアイドルモードと、前記同期信号および前記参照信号を送信する動作モードとを有し、該モードを切り替えることで、前記同期信号および前記参照信号について、送信と非送信とを切り替える、請求項１に記載の無線通信システム。
【請求項３】
前記中継局装置は、前記アイドルモードであるときに、前記基地局装置からページング信号を受信すると、前記動作モードに切り替える、請求項２に記載の無線通信システム。
【請求項４】
前記中継局装置には、前記移動局装置の各々に割り当てられる機体識別番号が割り当てられ、
前記ページング信号は、当該ページング信号が対象とする中継局装置に割り当てられた前記機体識別番号を含む、
請求項３に記載の無線通信システム。
【請求項５】
前記中継局装置は、前記ページング信号を間欠受信する、請求項３に記載の無線通信システム。
【請求項６】
前記基地局装置は、当該基地局装置と前記移動局装置との間で無線通信が確立しているときに、前記中継局装置から予め受信した位置登録情報に基づき、当該基地局装置が前記中継局装置を介して前記移動局装置と通信することが可能であると判断すると、前記中継局装置に対してページング信号を送信する、請求項３に記載の無線通信システム。
【請求項７】
前記基地局装置は、前記中継局装置から位置登録情報を受信して、前記中継局装置を当該基地局装置に登録する、請求項１に記載の無線通信システム。
【請求項８】
前記基地局装置は、前記中継局装置を当該基地局装置に登録する際に、該位置登録情報を送信した前記中継局装置に、当該基地局装置と同一のセル識別情報を割り当てるか、前記中継局装置に個別のセル識別情報を割り当てるかを決定する、請求項７に記載の無線通信システム。
【請求項９】
前記基地局装置は、前記中継局装置を当該基地局装置に登録する際に、前記中継局装置に割り当てるセル識別情報を決定し、前記中継局装置に通知する、請求項７に記載の無線通信システム。
【請求項１０】
前記移動局装置は、前記中継局装置のセル識別情報が前記基地局装置のセル識別情報と異なるときは、前記中継局装置の参照信号を受信して、前記中継局装置との間の通信品質を測定し、
前記基地局装置は、前記移動局装置が測定した通信品質に基づき、前記移動局装置との無線通信を、前記中継局装置を介して行うか否かを判定する、
請求項１に記載の無線通信システム。
【請求項１１】
前記移動局装置は、前記中継局装置のセル識別情報が前記基地局装置のセル識別情報と同じであるときは、前記中継局装置の参照信号を受信して、前記中継局装置との間の通信品質を測定し、さらに、前記基地局装置の参照信号を受信して、前記基地局装置との間の通信品質を測定し、
前記基地局装置は、前記移動局装置が測定した通信品質に基づき、前記移動局装置との無線通信を、前記中継局装置を介して行うか否かを判定する、
請求項１に記載の無線通信システム。
【請求項１２】
基地局装置と、前記基地局装置と無線通信する移動局装置と、前記基地局装置と移動局装置との間で前記無線通信を中継する中継局装置であって、
前記移動局装置に対して送信する同期信号または参照信号について、送信と非送信とを切り替える、
中継局装置。
【請求項１３】
基地局装置と、前記基地局装置と無線通信する移動局装置と、前記基地局装置と移動局装置との間で前記無線通信を中継する中継局装置とを備える無線通信システムにおける無線通信方法であって、
前記中継局装置が、前記移動局装置に対して送信する同期信号または参照信号について、送信と非送信とを切り替える過程を有する、
無線通信方法。
【発明の詳細な説明】
【技術分野】
【０００１】
本発明は、無線通信システム、中継局装置および無線通信方法に関する。
本願は、２００９年１１月５日に、日本に出願された特願２００９−２５３９８０号に基づき優先権を主張し、その内容をここに援用する。
【背景技術】
【０００２】
第４世代のセルラ移動通信システムにおいては、静止時１Ｇｂｐｓ以上のデータ通信速度を実現する必要がある。伝送帯域幅は１００ＭＨｚまで増大し、搬送波周波数は５ＧＨｚ帯に移行するため、消費電力も伝搬路損失も大きくなる。送信電力を大きくして伝搬路損失を補うことは装置の温度上昇や消費電力増加につながり、特に携帯端末である移動局装置においては電池容量の制限から実施が難しい。セルのサイズを小さくして伝搬路損失を小さくしたマイクロセル・ピコセルを用いる方法もあるが基地局装置の設置数が増加してインフラコストが増大する。【０００３】
上述したような課題を解決する一方法として移動局装置と基地局装置間で信号を中継（リレー）するリレー局装置（中継局装置）の利用が有効である（例えば、特許文献１）。特に、基地局装置・移動局装置間の通信と基地局装置・リレー局装置間の通信を共存させるインバンドリレーは新たにリレー通信用の周波数を用意する必要が無く有効である。
しかし、インバンドリレーでは基地局装置・リレー局装置間の通信（リレーリンク）とリレー局装置・移動局装置間の通信（アクセスリンク）の間でのリソース割り当てが課題となる。このリソース割り当てがうまく出来ないと、リレーリンクとアクセスリンクが互いに干渉したり、通信に有効に使用できないリソースが生じたりする。【０００４】
リレー局装置には基地局装置とは異なる物理セルＩＤを持ち、基地局装置とは異なるセルを構成するＴｙｐｅ−１と呼ばれるものと、異なるセルを構成しないＴｙｐｅ−２と呼ばれるものがある。Ｔｙｐｅ−２のリレー局装置は独自の物理セルＩＤを持たず、同期チャネルや共通リファレンスシグナル、その他の共通の制御チャネルは必ずしも送信しなくてよい。移動局装置はＴｙｐｅ−２のリレー局装置の存在を意識することもない。
【先行技術文献】
【特許文献】
【０００５】
【特許文献１】特開２００８−６０９５１号公報
【発明の概要】
【発明が解決しようとする課題】
【０００６】
しかしながら、従来のリレー局装置においては、移動局装置に同期信号（Ｓｙｎｃｈｒｏｎｉｚａｔｉｏｎ  ｓｉｇｎａｌ）と参照信号（Ｒｅｆｅｒｅｎｃｅ  Ｓｉｇｎａｌ：ＲＳ）とを常に送信しているため、リレー局装置の電力消費が常に発生し、大規模な電源設備が必要となるという問題がある。【０００７】
本発明は、このような事情に鑑みてなされたもので、その目的は、中継局装置の消費電力を抑え、中継局装置用の電源設備の規模を抑えることができる無線通信システム、中継局装置および無線通信方法を提供することにある。
【課題を解決するための手段】
【０００８】
（１）本発明の一態様は、基地局装置と、前記基地局装置と無線通信する移動局装置と、前記基地局装置と移動局装置との間で前記無線通信を中継する中継局装置とを備える無線通信システムであって、前記中継局装置が、前記移動局装置に対して送信する同期信号または参照信号について、送信と非送信とを切り替える。【０００９】
（２）また、本発明の他の一態様は、上述の無線通信システムであって、前記中継局装置は、前記同期信号および前記参照信号を送信しないアイドルモードと、前記同期信号および前記参照信号を送信する動作モードとを有し、該モードを切り替えることで、前記同期信号および前記参照信号について、送信と非送信とを切り替える。【００１０】
（３）また、本発明の他の一態様は、上述の無線通信システムであって、前記中継局装置は、前記アイドルモードであるときに、前記基地局装置からページング信号を受信すると、前記動作モードに切り替える。【００１１】
（４）また、本発明の他の一態様は、上述の無線通信システムであって、前記中継局装置には、前記移動局装置の各々に割り当てられる機体識別番号が割り当てられ、前記ページング信号は、当該ページング信号が対象とする中継局装置に割り当てられた前記機体識別番号を含む。【００１２】
（５）また、本発明の他の一態様は、上述の無線通信システムであって、前記中継局装置は、前記ページング信号を間欠受信する。【００１３】
（６）また、本発明の他の一態様は、上述の無線通信システムであって、前記基地局装置は、当該基地局装置と前記移動局装置との間で無線通信が確立しているときに、前記中継局装置から予め受信した位置登録情報に基づき、当該基地局装置が前記中継局装置を介して前記移動局装置と通信することが可能であると判断すると、前記中継局装置に対してページング信号を送信する。【００１４】
（７）また、本発明の他の一態様は、上述の無線通信システムであって、前記基地局装置は、前記中継局装置から位置登録情報を受信して、前記中継局装置を当該基地局装置に登録する。【００１５】
（８）また、本発明の他の一態様は、上述の無線通信システムであって、前記基地局装置は、前記中継局装置を当該基地局装置に登録する際に、該位置登録情報を送信した前記中継局装置に、当該基地局装置と同一のセル識別情報を割り当てるか、前記中継局装置に個別のセル識別情報を割り当てるかを決定する。【００１６】
（９）また、本発明の他の一態様は、上述の無線通信システムであって、前記基地局装置は、前記中継局装置を当該基地局装置に登録する際に、前記中継局装置に割り当てるセル識別情報を決定し、前記中継局装置に通知する。【００１７】
（１０）また、本発明の他の一態様は、上述の無線通信システムであって、前記移動局装置は、前記中継局装置のセル識別情報が前記基地局装置のセル識別情報と異なるときは、前記中継局装置の参照信号を受信して、前記中継局装置との間の通信品質を測定し、前記基地局装置は、前記移動局装置が測定した通信品質に基づき、前記移動局装置との無線通信を、前記中継局装置を介して行うか否かを判定する。【００１８】
（１１）また、本発明の他の一態様は、上述の無線通信システムであって、前記移動局装置は、前記中継局装置のセル識別情報が前記基地局装置のセル識別情報と同じであるときは、前記中継局装置の参照信号を受信して、前記中継局装置との間の通信品質を測定し、さらに、前記基地局装置の参照信号を受信して、前記基地局装置との間の通信品質を測定し、前記基地局装置は、前記移動局装置が測定した通信品質に基づき、前記移動局装置との無線通信を、前記中継局装置を介して行うか否かを判定する。【００１９】
（１２）また、本発明の他の一態様は、基地局装置と、前記基地局装置と無線通信する移動局装置と、前記基地局装置と移動局装置との間で前記無線通信を中継する中継局装置であって、前記移動局装置に対して送信する同期信号または参照信号について、送信と非送信とを切り替える。【００２０】
（１３）また、本発明の他の一態様は、基地局装置と、前記基地局装置と無線通信する移動局装置と、前記基地局装置と移動局装置との間で前記無線通信を中継する中継局装置とを備える無線通信システムにおける無線通信方法であって、前記中継局装置が、前記移動局装置に対して送信する同期信号または参照信号について、送信と非送信とを切り替える過程を有する。
【発明の効果】
【００２１】
この発明によれば、中継局装置の消費電力を抑え、中継局装置用の電源設備の規模を抑えることができる。
【図面の簡単な説明】
【００２２】
【図１】この発明の第１の実施形態における無線通信システム１０の構成を示す概略ブロック図である。
【図２】同実施形態におけるリレー局装置３の構成を示す概略ブロック図である。
【図３】同実施形態における基地局装置１の構成を示す概略ブロック図である。
【図４】同実施形態におけるリレー局装置３が動作モードになるまでの動作の一例を示したフローチャートである。
【図５】同実施形態における待ち受け状態から中継局装置３を介した通信までの動作を示すシーケンス図である。
【図６】同実施形態における移動局装置２のハンドオーバーシーケンスの一例を示す図である。
【図７】同実施形態におけるリレー局装置３の動作モードからアイドルモードへの移行を説明するシーケンス図である。
【図８】同実施形態の変形例における無線通信システムの動作を説明するシーケンス図である。
【図９】この発明の第２の実施形態におけるリレー局装置３が動作モードになるまでの動作の一例を示したフローチャートである。
【図１０】同実施形態における移動局装置２のハンドオーバーシーケンスの一例を示す図である。
【図１１】同実施形態の変形例における無線通信システムの動作を説明するシーケンス図である。
【発明を実施するための形態】
【００２３】
［第１の実施形態］
以下、図面を参照して、本発明の第１の実施形態による無線通信システムを説明する。図１は同実施形態における無線通信システム１０の構成を示す概略ブロック図である。無線通信システム１０は、基地局装置１、移動局装置２、リレー局装置（中継局装置ともいう）３、コアネットワーク４を備える。基地局装置１は、通信エリアサービスを有し、通信エリア内の複数の移動局装置２と無線通信することができる。移動局装置２は、無線通信システム１０において用いられる移動通信端末である。
【００２４】
リレー局装置３は、基地局装置１と移動局装置２との間で無線通信を中継することで、基地局装置１の通信サービスエリアの拡大や通信品質の向上などの目的で配置され、特定の通信サービスエリアを有する。移動局装置２と基地局装置１との間で通信する場合に、リレー局装置３を介してリレー通信を行うことにより、基地局装置２の通信サービスエリアの拡大や通信品質の向上を図る。また、リレー局装置３は、移動局装置２に対して送信する同期信号または参照信号について、送信と非送信とを切り替える。コアネットワーク４は、基地局装置１が接続され、基地局装置２同士、外部のネットワークなどと接続されている。コアネットワーク４には、基地局装置１が複数接続されるが図１では省略する。
また、リレー局装置３についても１つの基地局装置１のサービスエリアを拡大するために、複数のリレー局装置３が設置される場合もあるが、図１においては省略する。
【００２５】
基地局装置１と移動局装置２との間の無線通信伝送路を伝送路Ｒ１とする。また、基地局装置１とリレー局装置３との間の無線通信伝送路を伝送路Ｒ２、リレー局装置３と移動局装置２との間の無線通信伝送路を伝送路Ｒ３とする。また、リレー局装置３を介して行う基地局装置１から移動局装置２への無線通信の伝送経路を伝送経路Ｒ４とする。
【００２６】
図２は、リレー局装置３の構成を示す概略ブロック図である。リレー局装置３は、移動局装置向け送受信部３０１と、基地局装置向け送受信部３１２と、制御部３１７と、記憶部３１８と、移動局向けアンテナ３１１と、基地局向けアンテナ３１６とを備える。移動局装置向け送受信部３０１は、送信処理部３０２と、受信処理部３０３とを備える。送信処理部３０２は、無線部３０４と、送信制御部３０５と、送信判定部３０６と、送信信号生成部３０７とを備える。送信信号生成部３０７は、参照信号生成部３０８と、同期信号生成部３０９と、データ生成部３１０とを備える。基地局向け送受信部３１２は、送信処理部３１３と、受信処理部３１４とを備える。受信処理部３１４は、自局宛ページング信号検出部３１５を備える。
【００２７】
移動局向け送受信部３０１は、移動局向けアンテナ３１１を介して、移動局装置２と無線通信をする。移動局向け送受信部３０１の送信処理部３０２は、基地局装置１から受信したユーザデータ、制御データなど、移動局装置２への送信データの変調、参照信号、同期信号の多重などを行なって移動局装置２に送信する信号を生成する。送信処理部３０２は、この生成した信号を、無線周波数にアップコンバートして、移動局向けアンテナ３１１を介して移動局装置２に送信する。移動局向け送受信部３０１の受信処理部３０３は、移動局装置２からの信号を、移動局向けアンテナ３１１を介して受信し、ダウンコンバートしてベースバンド信号に変換する。受信処理部３０３は、このベースバンド信号を復調して、ユーザデータや制御データを検出する。
【００２８】
基地局向け送受信部３１２は、基地局向けアンテナ３１６を介して、基地局装置１と無線通信をする。基地局向け送受信部３１２の送信処理部３１３は、移動局装置２から受信したユーザデータ、制御データなど、基地局装置１への送信データの変調を行って基地局装置１に送信する信号を生成する。送信処理部３１３は、この生成した信号を、無線周波数にアップコンバートして、基地局向けアンテナ３１６を介して基地局装置１に送信する。基地局向け送受信部３１０の受信処理部３１４は、基地局装置１からの信号を、基地局向けアンテナ３１６を介して受信し、ダウンコンバートしてベースバンド信号に変換する。受信処理部３１４は、このベースバンド信号を復調して、ユーザデータや制御データを検出する。自局宛ページング信号検出部３１５は、制御部３１３から設定された自局の機体識別番号（ＩＭＥＩ；Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）を含むページング信号を、自局宛のページング信号として検出する。
【００２９】
参照信号生成部３０８は、移動局装置２へ送信する参照信号（Ｒｅｆｅｒｅｎｃｅ  Ｓｉｇｎａｌ：ＲＳ）を生成する。移動局装置２は、この参照信号を受信して、該参照信号の受信電力を測定することでリレー局装置３との間の伝送路Ｒ３の通信品質を推定することができる。同期信号生成部３０９は、移動局装置２へ送信する同期信号（Ｓｙｎｃｈｒｏｎｉｚａｔｉｏｎ  ｓｉｇｎａｌ）を生成する。移動局装置２は、例えば、３ＧＰＰ（３ｒｄ  Ｇｅｎｅｒａｔｉｏｎ  Ｐａｒｔｎｅｒｓｈｉｐ  Ｐｒｏｊｅｃｔ；第３世代パートナーシッププロジェクト）のＬＴＥ（Ｌｏｎｇ  Ｔｅｒｍ  Ｅｖｏｌｕｔｉｏｎ；（第３世代の）長期発展）におけるＰ−ＳＣＨ（Ｐｒｉｍａｒｙ  Ｓｙｎｃｈｒｏｎｉｚａｔｉｏｎ  Ｃｈａｎｎｅｌ）、Ｓ−ＳＣＨ（Ｓｅｃｏｎｄａｒｙ  Ｓｙｎｃｈｒｏｎｉｚａｔｉｏｎ  Ｃｈａｎｎｅｌ）に相当する、この同期信号を受信することでリレー局装置３との時間同期を取ることができる。
【００３０】
データ生成部３１０は、基地局装置１から受信して移動局装置３へ送信するデータ信号及び制御信号を生成する。送信信号生成部３０７は、参照信号生成部３０８、同期信号生成部３０９、データ生成部３１０が生成した信号を変調、多重してベースバンド信号を生成する。送信制御部３０５は、送信判定部３０６から出力される制御信号を受けて、送信信号生成部３０６が生成した信号（同期信号と参照信号とを含む）の無線部３０４への出力の実施と非実施とを切り替えることで、送信と、非送信との切り替えを制御する。このように、リレー局装置３が、送信と非送信との切り替え制御の機能を持ち、移動局装置２との通信が行われていないときに、不要な同期信号と参照信号の送信を停止することで、リレー局装置３の消費電流を削減することができる。また、同期信号と参照信号の送信をしたときに発生する他の基地局装置やリレー局装置や移動局装置に対して干渉を減らすことができる。送信判定部３０６は、当該リレー局装置３が動作モードのときは、信号を出力するように送信制御部３０５を制御し、アイドルモードのときは、信号を出力しないように送信制御部３０５を制御する。この送信判定部３０６により、リレー局装置３は、同期信号および参照信号を送信しないアイドルモードと、同期信号および前記参照信号を送信する動作モードとを有し、該モードを切り替えることで、同期信号および参照信号について、送信と非送信とを切り替える。無線部３０４は、送信制御部３０５が出力したベースバンド信号を、無線周波数にアップコンバートする。
【００３１】
制御部３１７は、リレー局装置３全体を制御するブロックであり、基地局装置１からの指示に従い、リレー局装置３のアイドルモードと動作モードとの切り替えを行う。記憶部３１８は、当該リレー局装置３に割り当てられた機体識別番号（ＩＭＥＩ；Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）を記憶する。リレー局装置３の制御部３１７は、基地局装置１が送信し、この機体識別番号をしている自局装置宛てのページングチャネル（Ｐａｇｉｎｇ  Ｃｈａｎｎｅｌ：ＰＣＨ）を受信したことを検出すると、アイドルモードから動作モードへの切り替えを行う。なお、リレー局装置３には、基地局装置１と異なるセルＩＤ（セル識別情報）を持つＴｙｐｅ−１と、基地局装置１と同じセルＩＤを持つＴｙｐｅ−２がある。また、リレー局装置３によっては、Ｔｙｐｅ−１とＴｙｐｅ−２の両方に対応可能なものもある。
【００３２】
本実施形態では、基地局装置１とリレー局装置３とが異なるセルＩＤを持っている場合について説明する。基地局装置１と移動局装置２との間でデータの送受信を行う場合、伝送路Ｒ１のみで行うことが可能である。また、リレー局装置３を介した伝送経路Ｒ４のみで行うことも可能である。また、基地局装置１と移動局装置２とは、伝送路Ｒ１と伝送経路Ｒ４を組み合わせで送受信することも可能である。
【００３３】
図３は、基地局装置１の構成を示す概略ブロック図である。基地局装置１は、無線送受信部１０１と、コアネットワーク向け通信部１１２と、制御部１１７と、位置登録情報記憶部１１８と、中継局モード記憶部１１９と、アンテナ１１１とを備える。無線送受信部１０１は、送信処理部１０２と、受信処理部１０３とを備える。送信処理部１０２は、無線部１０４と、送信信号生成部１０７とを備える。送信信号生成部１０７は、参照信号生成部１０８と、同期信号生成部１０９と、データ生成部１１０と、ページング信号生成部１３０と、ハンドオーバー指示部１３１とを備える。制御部１１７は、通信経路決定部１２０と、中継局モード決定部１２１とを備える。
【００３４】
無線送受信部１０１は、アンテナ１１１を介して、移動局装置２およびリレー局装置３と無線通信をする。無線送受信部１０１の送信処理部１０２は、コアネットワーク４から受信したユーザデータや制御データなど、移動局装置２への送信データと、ハンドオーバー指示やページングを含む制御データなど、リレー局装置３への送信データとの変調、参照信号、同期信号の多重などを行なって移動局装置２およびリレー局装置３に送信する信号を生成する。送信処理部１０２は、この生成した信号を、無線周波数にアップコンバートして、アンテナ１１１を介して移動局装置２およびリレー局装置３に送信する。無線送受信部１０１の受信処理部１０３は、移動局装置２およびリレー局装置３からの信号を、アンテナ１１１を介して受信し、ダウンコンバートしてベースバンド信号に変換する。受信処理部１０３は、このベースバンド信号を復調して、ユーザデータや制御データを検出する。
【００３５】
参照信号生成部１０８は、移動局装置２およびリレー局装置３へ送信する参照信号を生成する。移動局装置２は、この参照信号を受信して、該参照信号の受信電力を測定することで基地局装置１との間の伝送路Ｒ１の通信品質を推定することができる。また、移動局装置２は、リレー局装置３を経由した、この参照信号を受信して、伝送路経路Ｒ４の通信品質を推定するこができる。また、リレー局装置３は、この参照信号を受信して、伝送路Ｒ２の通信品質を推定するこができる。同期信号生成部３０９は、移動局装置２へ送信する同期信号を生成する。
【００３６】
コアネットワーク向け通信部１１２は、コアネットワーク４と接続され、コアネットワーク４を介して、他の基地局装置や移動局装置２にサービスを提供するサーバーと通信すする。制御部１１７は、基地局装置１全体を制御するブロックである。制御部１１７の通信経路決定部１２０は、当該基地局装置１と移動局装置２との通信を、伝送路Ｒ１を用いて直接行うか、リレー局装置３を介した伝送経路４を用いて行うかを決定する。中継局モード決定部１２１は、通信経路決定部１２０の決定の結果に応じて、リレー局装置３のモードを決定し、その結果を中継局モード記憶部１１９に記憶させる。また、中継局モード決定部１２１は、決定の結果、リレー局装置３をアイドルモードから動作モードに移行させるときは、そのリレー局装置３に対してページング信号を送信するように、送信処理部１０２に指示する。位置登録情報記憶部１１８は、当該基地局装置１に位置登録されている移動局装置２およびリレー局装置３の位置登録情報を記憶する。なお、この位置登録情報には、機体識別番号を含む。また、基地局装置１は、リレー局装置３および移動局装置２から位置登録情報を受信して、その位置登録情報を位置登録情報記憶部１１８に記憶させることで、そのリレー局装置３と移動局装置２を当該基地局装置１に登録する。中継局モード記憶部１１９は、位置登録されているリレー局装置３のモードを記憶する。
【００３７】
図４は、リレー局装置３が動作モードになるまでの動作の一例を示したフローチャートである。リレー局装置３は、電源起動された後、その受信処理部３１４が基地局装置１からの同期信号を受信してセルサーチを行い、その後に基地局装置１からの報知信号を受信する（Ｓａ１）。それからリレー局装置３の制御部３１７は、記憶部３１８から機体識別番号を読み出し、この機体識別番号を含み、位置登録を要求するメッセージを、基地局装置１に送信処理部３１３を用いて送信する（Ｓａ２）。基地局装置１からの位置登録完了のメッセージを受信すると、アイドルモードへ移行する（Ｓａ３）。
【００３８】
なお、リレー局装置３は、ステップＳａ２にて位置登録を要求するメッセージと共に基地局装置１に対してリレー局装置３の機体識別番号と能力情報を送信する。リレー局装置３は、移動局装置２と同様の位置登録処理を行うが、リレー局装置３が移動局装置２には用いない、リレー局装置用の機体識別番号を有することで、基地局装置１は、リレー局装置３からの位置登録処理であることを認識することが可能になる。能力情報として送信される情報としては、リレー局装置３が対応しているリレーのタイプ、リレー局装置３が対応している規格などである。
【００３９】
この能力情報を受けた基地局装置１は、リレー局装置３に対してリレーのタイプが基地局装置１と異なる独自のセルＩＤを持つタイプ（Ｔｙｐｅ−１）か、基地局装置１と同じのセルＩＤをもつタイプ（Ｔｙｐｅ−２）かを決定し、指示する。このとき基地局装置１がリレー局装置３のリレータイプを決定する方法としては、サービスエリアの拡張を目的とする場合はＴｙｐｅ−２とし、サービスエリア内の通信容量の改善を目的とする場合はＴｙｐｅ−１にするという決め方がある。また、その他に、リレー局装置３に割り当てることが可能なセルＩＤがある場合はＴｙｐｅ−２とし、割り当てるセルＩＤが無いもしくはある一定数より少ない場合はＴｙｐｅ−１とするという決め方もある。基地局装置１の通信可能なエリア内にＴｙｐｅ−１とＴｙｐｅ−２の両方に対応可能なリレー局装置３が存在する場合に、基地局装置１に従属するリレー局装置３の数や通信状態によって、リレー局装置３のリレータイプを基地局装置１からの指示で適応的に変更することができるため、基地局装置１が効率的な通信を行うことが可能になる。
【００４０】
また、このリレーのタイプの決定と共にＴｙｐｅ−１のリレー局装置３に対してセルＩＤを付与し、通知するようにしてもよい。セルＩＤは有限であるため、基地局装置１に従属するＴｙｐｅ−１のリレー局装置３を増やしていった場合にセルＩＤが足りなくなることがある。そのような場合に、リレー局装置３に対して固定的にセルＩＤを付与するのではなく、基地局装置１エリア内の通信状態に応じてセルＩＤの割り当てを変更することが可能になる。
【００４１】
図４に戻って、リレー局装置３はアイドルモードに移行したら、基地局装置１からのページング信号を受信するまでアイドルモードとなる（Ｓａ４−Ｙｅｓ）。このとき、リレー局装置３は、消費電流を削減するためにページング信号を間欠受信するようにしてもよい。リレー局装置３は、基地局装置１から自局宛てのページング信号を受信したら、動作モードに移行する（Ｓａ４−Ｙｅｓ）。
【００４２】
図５は、待ち受け状態から中継局装置３を介した通信までの動作を示すシーケンス図である。リレー局装置３と移動局装置２とは、それぞれ基地局装置１に対して位置登録を行い、アイドルモードの状態である（Ｓｂ１、Ｓｂ２）。このとき、基地局装置１の位置登録情報記憶部１１８は、リレー局装置３の位置登録情報および機体識別番号と、移動局装置２の位置登録情報および機体識別番号とを記憶している。また、中継局モード記憶部１１９は、リレー局装置３がアイドルモードであることを記憶している。また、リレー局装置３は、アイドルモードなので、その自局宛ページング信号検出部３１５は、制御部３１７が記憶部３１８から読み出した端末識別番号を含むページングチャネルを監視している。
【００４３】
ここでは、ユーザが移動局装置２を操作してメールを送信するなど、移動局装置２から基地局装置１に対して呼接続する場合について説明する。移動局装置２から基地局装置１に対して接続要求を行い（Ｓｂ３；接続要求）、成功した後に、移動局装置２と基地局装置１の間で通信路を確保し通信状態になる（Ｓｂ４；通信中）。ここで、このように基地局装置１と移動局装置２との間で無線通信が確立しているときに、リレー局装置３０から予め受信した位置登録情報に基づき、基地局装置１の通信経路決定部１２０が、移動局装置２との通信についてリレー局装置３を介して通信することが可能と判断したとする。なお、リレー局装置３を介して通信することが可能と判定する方法として以下のように行う方法がある。基地局装置１は、移動局装置２から送信された信号の受信電力、また移動局装置２から報告される情報（下り信号受信レベルなど）などを基にして、移動局装置２のおおよその位置を推定し、リレー局装置３を介して通信することが可能か否かを判断する。また、移動局装置２がＧＰＳ（Global Positioning System；全地球測位システム）などを使用して測定した位置を移動局装置２から受信し、該位置がリレー局装置３の通信範囲内であるか否かを判定することでリレー局装置３を介して通信することが可能か否かを判断することもできる。
【００４４】
通信経路決定部１２０は、上述のようにリレー局装置３を介した通信が可能と判断すると、中継局モード記憶部１１９を参照すると、リレー局装置３はアイドルモードであるので、位置登録情報記憶部１１８からリレー局装置３の端末識別番号を読み出し、その端末識別番号を含むページング信号の送信を、送信処理部１０２に指示する。送信処理部１０２では、そのページング信号生成部１３０が、通信経路決定部１２０に指定された端末識別番号を含むページング信号を生成し、無線部１０４およびアンテナ１１１を介して送信することで、基地局装置１はリレー局装置３に対してページングを行う（Ｓｂ５；ページング）。
【００４５】
この時点では、基地局装置１は、移動局装置２とリレー局装置３の間、すなわち伝送路Ｒ３の通信品質について正確な情報を得ることはできない。しかし、通信経路決定部１２０は、基地局装置１と移動局装置２の間、すなわち伝送路の通信路品質または移動局装置２及びリレー局装置３の位置登録情報から、移動局装置２の信号を中継する可能性のあるリレー局装置３を選択して、該リレー局装置３宛のページング信号を送信する。なお、基地局装置１は、通信エリア内の複数のリレー局装置３にページング信号を送信することも可能である。
【００４６】
リレー局装置３では、自局宛ページング信号検出部３１５が、基地局装置１からの受信信号から、自局の端末識別番号を含むページング信号を検出する。さらに、この検出結果を受けて、制御部３１７は、リレー局装置３全体を、アイドルモードから動作モードに移行させる（Ｓｂ７）。動作モードになったリレー局装置３では、動作モードになったことを受けて、送信判定部３０６が、送信制御部３０５を、無線部３０４に信号を出力するように制御し、同期信号と参照信号とを含むダウンリンク信号の送信を始める。リレー局装置３が動作モードに移行し、基地局装置１とリレー局装置間３の通信が確立すると、基地局装置１の制御部１１７は、リレー局装置３との通信のための通信リソースを確保する。なお、リレー局装置３は、基地局装置１との通信が確立した後、ダウンリンク信号の送信を始めるようにしてもよい。
【００４７】
ここでリレー局装置３は基地局装置１と異なるセルＩＤを持っており、リレー局装置３との通信可能なエリアに存在する移動局装置２は、リレー局装置３からの同期信号と参照信号を受信することが可能となり、移動局装置２は参照信号を受信してリレー局装置３との間の通信品質を測定する。移動局装置２はその通信品質の測定結果を基地局装置１へ報告する（Ｓｂ６；通信品質報告）。基地局装置１の通信経路決定部１２０は、この報告された測定結果が、予め決められた閾値を超えているか否かなどにより、移動局装置２とリレー局装置３との間の通信品質が良好であるか否かを判定する。良好であると判定したときは、制御部１１７は、送信処理部１０２に、移動局装置２に対してリレー局装置３へのハンドオーバーを指示するハンドオーバー命令の生成を指示する。送信処理部１０２が、この指示を受けると、そのハンドオーバー指示部１３１は、基地局装置１からリレー局装置３へのハンドオーバーの指示を生成し、無線部１０４、アンテナ１１１を介して送信する（Ｓｂ８；ハンドオーバー命令）。ハンドオーバーの指示を基地局装置１から受信した移動局装置２はハンドオーバーシーケンスを実行し、リレー局装置３へハンドオーバーが完了した後にリレー局装置３との間で通信を継続する（Ｓｂ９；通信中）。
【００４８】
ここでは、リレー局装置３は基地局装置１と異なるセルＩＤを持ち、このセルＩＤは、リレー局装置３の位置登録のときに付与するとして説明した。しかし、リレー局装置３をアイドルモードから動作モードに移行させるためのページング信号にセルＩＤを含めておくことで、リレー局装置３が動作モードに移行する時に、セルＩＤを付与するようにしてもよい。
【００４９】
図６は、移動局装置２のハンドオーバーシーケンスの一例を示す図である。移動局装置２は、リレー局装置３から送信される参照信号を受信し（Ｓｃ１）、移動局装置２とリレー局装置３との間の通信品質を測定する（Ｓｃ２）。移動局装置２は、通信品質の測定結果を基地局装置１に送信する（Ｓｃ３）。移動局装置２から通信品質の測定結果を受信した基地局装置１では、通信経路決定部１２０が、測定結果から移動局装置２との間の通信をリレー局装置３へハンドオーバーするか否かを判定する（Ｓｃ４）。リレー局装置３へハンドオーバーさせることが最適と判断した場合、通信経路決定部１２０は、送信処理部１０２に、移動局装置２に対してハンドオーバー命令を送信させる。基地局装置１からのハンドオーバー命令を受信した移動局装置２は（Ｓｃ５）、基地局装置１との間の通信をクローズして（Ｓｃ６）、ハンドオーバー命令で指定されたリレー局装置３との通信をオープンする（Ｓｃ７）。
【００５０】
図７は、リレー局装置３の動作モードからアイドルモードへの移行を説明するシーケンス図である。リレー局装置３を介して、基地局装置１と移動局装置２との間で通信を行っている状態では（Ｓｄ１；通信中）、移動局装置２はリレー局装置３からの受信信号で通信品質を測定している。移動局装置２は、この通信品質の測定結果を、リレー局装置３を介して、周期的に基地局装置１に報告している（Ｓｄ２；通信品質報告）。基地局装置１は、移動局装置２からの通信品質の測定結果を受信し、その通信経路決定部１２０は、受信した測定結果に基づき、移動局装置２との通信経路を決定する。ここでは、決定した通信経路が、基地局装置１と直接通信する伝送路Ｒ１であるとする。
【００５１】
該決定を受けて、通信経路決定部１２０は、リレー局装置３と移動局装置２との各々に対して、移動局装置２を基地局装置１と直接通信させるハンドオーバー命令を送る（Ｓｄ３；ハンドオーバー命令、Ｓｄ４；ハンドオーバー命令）。リレー局装置３経由でこのハンドオーバー命令を受けた移動局装置２は、リレー局装置３との通信をクローズして、その後に基地局装置１との通信をオープンする（Ｓｄ５；通信中）。一方、基地局装置１の中継局モード決定部１２１は、リレー局装置３が通信中の移動局装置２が無くなると、そのリレー局装置３をアイドルモードに移行させるために、アイドルモード移行命令を生成し、送信処理部１０２に送信させる（Ｓｄ６；アイドルモード移行命令）。リレー局装置３は、移動局装置２との通信がクローズされた後、基地局装置１からアイドルモード移行命令を受信すると、アイドルモードへ移行する（Ｓｄ７）。または、基地局装置１からのアイドルモード移行命令がない場合でも、前記移動局装置２の他に通信中の移動局装置２がない場合にはリレー局装置３の判断でアイドルモードへ移行するようにしてもよい。リレー局装置３の送信判定部３０６は、アイドルモードに移行したことを検出し、送信制御部３０５を、送信信号生成部３０７が生成した信号を無線部３０４に出力しないように制御する。これにより、リレー局装置３は、それまで行っていた同期信号、参照信号の送信を停止する。
【００５２】
上述の本実施形態では、リレー局装置３は、基地局装置１と異なるセルＩＤを割り当てられているとして説明したが、同じセルＩＤを割り当てられている場合について、以下の本実施形態の変形例にて説明する。
図８は、本変形例における無線通信システム１０の動作を説明するシーケンス図である。リレー局装置３と移動局装置２は、それぞれ基地局装置１に対して位置登録を行い、アイドルモードの状態である（Ｓｅ１、Ｓｅ２）。リレー局装置３は、アイドルモードで基地局装置１からのページング信号を監視する。
【００５３】
ここでは移動局装置２から基地局装置１に対して呼接続した場合について説明する。移動局装置２から基地局装置１に対して接続要求を行い（Ｓｅ３；接続要求）、成功した後に移動局装置２と基地局装置１の間で通信路を確保し通信状態になる（Ｓｅ４；通信中）。このように、基地局装置１と移動局装置２との間で通信状態にあるときに、基地局装置１は、例えばアイドル状態にあるリレー局装置３の位置登録情報などを考慮して、基地局装置１は移動局装置２との通信についてリレー局装置３を介して通信することが可能であると判断したとする。基地局装置１は、この判断結果に従い、リレー局装置３を介して移動局装置２と通信するために、アイドル状態のリレー局装置３に対してページング信号を送信する（Ｓｅ５；ページング）。リレー局装置３は、基地局装置１からのページング信号を受信すると、動作モードに移行する（Ｓｅ６）。基地局装置１とリレー局装置３間の通信が確立すると、基地局装置１はリレー局装置３との通信のための通信リソースを確保する。リレー局装置３は、基地局装置１との通信が確立した後、同期信号と参照信号とを含むダウンリンク信号の送信を始める。
【００５４】
ここで、リレー局装置３は基地局装置１と同じセルＩＤを持っており、さらに基地局装置１とリレー局装置はタイミングを合わせて同期信号と参照信号を送信する。このため、リレー局装置３との通信可能なエリアに存在する移動局装置２は、受信した同期信号と参照信号が基地局装置１から送信された信号なのか、リレー局装置３から送信された信号なのかを区別することはできない。したがって、移動局装置２は基地局装置１からの参照信号とリレー局装置３からの参照信号が合成された信号を受信し受信品質を測定する。移動局装置２は、その受信品質の測定結果を基地局装置１へ報告する（Ｓｅ７；通信品質報告）。ここでは、基地局装置１は、この測定結果に基づき、移動局装置２との通信にリレー局装置３を使ったほうが通信品質が良好であると判断したとする。基地局装置１はリレー局装置３に対してリレー通信の開始を指示する（Ｓｅ８；リレー通信開始）。この指示を受けて、リレー局装置３は、基地局装置１と移動局装置２との無線通信を中継する（Ｓｅ９；通信中）。このとき、基地局装置１と移動局装置２との間の無線通信は、図１の伝送路Ｒ１と伝送経路Ｒ４の両方を使って通信することも可能であり、また伝送経路Ｒ４のみを使って通信することも可能である。
【００５５】
［第２の実施形態］
以下に本発明の第２の実施形態について説明する。図１から図３のブロック図は本実施形態についても共通のものとし、各部の説明は省略する。第１の実施形態と異なる点については図９から図１１のフローチャートおよびシーケンスチャートで説明する。
図９は、リレー局装置３が動作モードになるまでの別の動作の例を示したフローチャートである。リレー局装置３は、電源起動された後、その受信処理部３１４が基地局装置１からの同期信号を受信してセルサーチを行い、その後に基地局装置１からの報知信号を受信する（Ｓａ１）。それからリレー局装置３の制御部３１７は、記憶部３１８から機体識別番号を読み出し、この機体識別番号を含み、位置登録を要求するメッセージを、基地局装置１に送信処理部３１３を用いて送信する（Ｓａ２）。基地局装置１からの位置登録完了のメッセージを受信すると、アイドルモードへ移行する（Ｓａ３）。
【００５６】
なお、リレー局装置３は、ステップＳａ２にて位置登録を要求するメッセージと共に基地局装置１に対してリレー局装置３の機体識別番号と能力情報を送信する。リレー局装置３は、移動局装置２と同様の位置登録処理を行うが、リレー局装置３が移動局装置２には用いない、リレー局装置用の機体識別番号を有することで、基地局装置１は、リレー局装置３からの位置登録処理であることを認識することが可能になる。能力情報として送信される情報としては、リレー局装置３が対応しているリレーのタイプ、リレー局装置３が対応している規格などである。
【００５７】
リレー局装置３はアイドルモードに移行したら、基地局装置１からのページング信号を受信するまでアイドルモードとなる（Ｓａ４−Ｎｏ）。このとき、リレー局装置３は、消費電流を削減するためにページング信号を間欠受信するようにしてもよい。リレー局装置３は、基地局装置１から自局宛てのページング信号を受信したら（Ｓａ４−Ｙｅｓ）、自局のエリア内に通信中の移動局がいるかを判定する為に、移動局信号を測定する（Ｓａ５）。このとき基地局装置１は、リレー局装置３に、自装置が通信している移動局に関する情報（たとえば、割り当てられている周波数など）を通知して、測定が効率的に行えるようにしてもよい。移動局装置２の信号が検出されたら（Ｓａ６）、リレー局装置３は、この旨を基地局装置１に通知し（Ｓａ７）、動作モードに移行する（Ｓａ８）。
【００５８】
図１０は、待ち受け状態から中継局装置３を介した通信までの動作を示すシーケンス図である。リレー局装置３と移動局装置２とは、それぞれ基地局装置１に対して位置登録を行い、アイドルモードの状態である（Ｓｂ１、Ｓｂ２）。このとき、基地局装置１の位置登録情報記憶部１１８は、リレー局装置３の位置登録情報および機体識別番号と、移動局装置２の位置登録情報および機体識別番号とを記憶している。また、中継局モード記憶部１１９は、リレー局装置３がアイドルモードであることを記憶している。また、リレー局装置３は、アイドルモードなので、その自局宛ページング信号検出部３１５は、制御部３１７が記憶部３１８から読み出した端末識別番号を含むページングチャネルを監視している。
【００５９】
ここでは、ユーザが移動局装置２を操作してメールを送信するなど、移動局装置２から基地局装置１に対して呼接続する場合について説明する。移動局装置２から基地局装置１に対して接続要求を行い（Ｓｂ３；接続要求）、成功した後に、移動局装置２と基地局装置１の間で通信路を確保し通信状態になる（Ｓｂ４；通信中）。ここで、このように基地局装置１と移動局装置２との間で無線通信が確立しているときに、リレー局装置３０から予め受信した位置登録情報に基づき、基地局装置１の通信経路決定部１２０が、移動局装置２との通信についてリレー局装置３を介して通信することが可能と判断したとする。リレー局装置３を介して通信することが可能と判定する方法として以下のように行う。基地局装置１は移動局装置２から送信された信号の受信電力、また移動局装置２から報告される情報（下り信号受信レベルなど）などを基にして、基地局装置１は移動局装置２のおおよその位置を推定してリレー局装置３を介して通信することが可能かを判断する。また、ＧＰＳなどを利用して測定した位置情報を移動局装置２から受信することでリレー局装置３を介して通信することが可能かを判断することもできる。
【００６０】
通信経路決定部１２０は、上述のようにリレー局装置３を介した通信が可能と判断すると、中継局モード記憶部１１９を参照すると、リレー局装置３はアイドルモードであるので、位置登録情報記憶部１１８からリレー局装置３の端末識別番号を読み出し、その端末識別番号を含むページング信号の送信を、送信処理部１０２に指示する。送信処理部１０２では、そのページング信号生成部１３０が、通信経路決定部１２０に指定された端末識別番号を含むページング信号を生成し、無線部１０４およびアンテナ１１１を介して送信することで、基地局装置１はリレー局装置３に対してページングを行う（Ｓｂ５；ページング）。
【００６１】
リレー局装置３では、自局宛ページング信号検出部３１５が、基地局装置１からの受信信号から、自局の端末識別番号を含むページング信号を検出する。さらに、このページング信号が検出されたときは、リレー局装置３は、基地局装置１と通信中（Ｓｂ１０）である移動局装置２から送信されているアップリンク信号を測定する（Ｓｂ１１）。測定に先立って、基地局装置１は通信中の信号に関する情報（例えばタイムスロットや周波数情報）をリレー局装置３に通知しておいてもよい。この情報を受けることによって、リレー局はアップリンク信号の測定を容易に行うことができる。リレー局装置３は移動局装置２のアップリンク信号の測定結果を基地局装置１に通知（Ｓｂ１２；測定結果通知）する。リレー局装置３の制御部３１７は、リレー局装置３全体を、アイドルモードから動作モードに移行させる（Ｓｂ７）。動作モードになったリレー局装置３では、動作モードになったことを受けて、送信判定部３０６が、送信制御部３０５を、無線部３０４に信号を出力するように制御し、同期信号と参照信号とを含むダウンリンク信号の送信を始める。リレー局装置３が動作モードに移行し、基地局装置１とリレー局装置間３の通信が確立すると、基地局装置１の制御部１１７は、リレー局装置３との通信のための通信リソースを確保する。なお、リレー局装置３は、基地局装置１との通信が確立した後、ダウンリンク信号の送信を始めるようにしてもよい。
【００６２】
ここでリレー局装置３は基地局装置１と異なるセルＩＤを持っており、リレー局装置３との通信可能なエリアに存在する移動局装置２は、リレー局装置３からの同期信号と参照信号を受信することが可能となり、移動局装置２は参照信号を受信してリレー局装置３との間の通信品質を測定する。移動局装置２はその通信品質の測定結果を基地局装置１へ報告する（Ｓｂ６；通信品質報告）。基地局装置１の通信経路決定部１２０は、この報告された測定結果が、予め決められた閾値を超えているか否かなどにより、移動局装置２とリレー局装置３との間の通信品質が良好であるか否かを判定する。良好であると判定したときは、制御部１１７は、送信処理部１０２に、移動局装置２に対してリレー局装置３へのハンドオーバーを指示するハンドオーバー命令の生成を指示する。送信処理部１０２が、この指示を受けると、そのハンドオーバー指示部１３１は、基地局装置１からリレー局装置３へのハンドオーバーの指示を生成し、無線部１０４、アンテナ１１１を介して送信する（Ｓｂ８；ハンドオーバー命令）。ハンドオーバーの指示を基地局装置１から受信した移動局装置２はハンドオーバーシーケンスを実行し、リレー局装置３へハンドオーバーが完了した後にリレー局装置３との間で通信を継続する（Ｓｂ９；通信中）。
【００６３】
ここでは、リレー局装置３は基地局装置１と異なるセルＩＤを持ち、このセルＩＤは、リレー局装置３の位置登録のときに付与するとして説明した。しかし、リレー局装置３をアイドルモードから動作モードに移行させるためのページング信号にセルＩＤを含めておくことで、リレー局装置３が動作モードに移行する時に、セルＩＤを付与するようにしてもよい。
【００６４】
また、第２の実施形態の変形例として、リレー局装置３が基地局装置１と同じセルＩＤを割り当てられている場合について、以下説明する。
図１１は、本変形例における無線通信システム１０の動作を説明するシーケンス図である。リレー局装置３と移動局装置２は、それぞれ基地局装置１に対して位置登録を行い、アイドルモードの状態である（Ｓｅ１、Ｓｅ２）。リレー局装置３は、アイドルモードで基地局装置１からのページング信号を監視する。
【００６５】
ここでは移動局装置２から基地局装置１に対して呼接続した場合について説明する。移動局装置２から基地局装置１に対して接続要求を行い（Ｓｅ３；接続要求）、成功した後に移動局装置２と基地局装置１の間で通信路を確保し通信状態になる（Ｓｅ４；通信中）。このように、基地局装置１と移動局装置２との間で通信状態にあるときに、基地局装置１は、例えばアイドル状態にあるリレー局装置３の位置登録情報などを考慮して、基地局装置１は移動局装置２との通信についてリレー局装置３を介して通信することが可能であると判断したとする。基地局装置１は、この判断結果に従い、リレー局装置３を介して移動局装置２と通信するために、アイドル状態のリレー局装置３に対してページング信号を送信する（Ｓｅ５；ページング）。
【００６６】
リレー局装置３は、基地局装置１からのページング信号を受信すると、基地局装置１と通信中（Ｓｅ１０）である移動局装置２から送信されているアップリンク信号を測定する（Ｓｅ１１）。測定に先立って、基地局装置１は通信中の信号に関する情報（例えばタイムスロットや周波数情報）をリレー局装置３に通知しておいてもよい。この情報を受けることによって、リレー局装置３はアップリンク信号の測定を容易に行うことができる。リレー局装置３は、移動局装置２のアップリンク信号の測定結果を基地局装置１に通知し（Ｓｅ１２；測定結果通知）、リレー局装置３は、基地局装置１からのページング信号を受信すると、動作モードに移行する（Ｓｅ６）。基地局装置１とリレー局装置３間の通信が確立すると、基地局装置１はリレー局装置３との通信のための通信リソースを確保する。リレー局装置３は、基地局装置１との通信が確立した後、同期信号と参照信号とを含むダウンリンク信号の送信を始める。
【００６７】
ここでは、基地局装置１は、リレー局装置３からの測定結果に基づき、移動局装置２との通信にリレー局装置３を使ったほうが通信品質が良好であると判断したとする。基地局装置１はリレー局装置３に対してリレー通信の開始を指示する（Ｓｅ８；リレー通信開始）。この指示を受けて、リレー局装置３は、基地局装置１と移動局装置２との無線通信を中継する（Ｓｅ９：通信中）。このとき、基地局装置１と移動局装置２との間の無線通信は、図１の伝送路Ｒ１と伝送経路Ｒ４の両方を使って通信することも可能であり、また伝送経路Ｒ４のみを使って通信することも可能である。
【００６８】
また、図２における送信制御部３０５、送信判定部３０６、送信信号生成部３０７、自局宛ページング信号検出部３１５、制御部３１７、および図３における送信信号生成部１０７、制御部１１７の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００６９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７０】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００７１】
１…基地局装置  ２…移動局装置  ３…リレー局装置  ４…コアネットワーク  １０…無線通信システム  １０１…無線送受信部  １０２…送信処理部  １０３…受信処理部  １０４…無線部  １０７…送信信号生成部  １０８…参照信号生成部  １０９…同期信号生成部  １１０…データ生成部  １１１…アンテナ  １１２…コアネットワーク向け通信部  １１３…通信処理部  １１７…制御部  １１８…位置登録情報記憶部  １１９…中継局モード記憶部  １２０…通信経路決定部  １２１…中継局モード決定部  １３０…ページング信号生成部  １３１…ハンドオーバー指示部  ３０１…移動局向け送受信部  ３０２…送信処理部  ３０３…受信処理部  ３０４…無線部  ３０５…送信制御部  ３０６…送信判定部  ３０７…送信信号生成部  ３０８…参照信号生成部  ３０９…同期信号生成部  ３１０…データ生成部  ３１１…移動局向けアンテナ  ３１２…基地局向け送受信部  ３１３…送信処理部  ３１４…受信処理部  ３１５…自局宛ページング信号検出部  ３１６…基地局向けアンテナ  ３１７…制御部  ３１８…記憶部
【図１】
2011055780.tif 000003
【図２】
2011055780.tif 000004
【図３】
2011055780.tif 000005
【図４】
2011055780.tif 000006
【図５】
2011055780.tif 000007
【図６】
2011055780.tif 000008
【図７】
2011055780.tif 000009
【図８】
2011055780.tif 000010
【図９】
2011055780.tif 000011
【図１０】
2011055780.tif 000012
【図１１】
2011055780.tif 000013
【国際調査報告】
2011055780.tif 000014
2011055780.tif 000015
2011055780.tif 000016
2011055780.tif 000017